Podtech/llm-jp-corpus-v4-ja_patent huggingface dataset:
(57)【要約】      （修正有）【課題】土木工事におけるコンクリート敷設面の仕上げ作業に際し、ローラーの両サイドの作業ロスがなくなるのに加えて、ローラーの支店が中央部にきて、左右の短いローラーが別々に回転することから、作業面との摩擦も少なく、自由自在に左右前後に移動することができ、少しの力で効率的にならし作業が進められるコンクリート表面ならし機を提供する。【解決手段】加工表面にムラのないきれいなモルタル面を形成するための器具で、材質は鉄製で、構造としては、加工面と水平に基軸を中心として２つの別々に回転するネット状の円柱型ローラーを装着し、この２つのローラーの中心から基軸と垂直即ちＴ字型となる形で、両手で支え持ち、前後に転がして作動させるための取っ手即ちコントロールバーを取り付けた。【選択図】図１
0003178152.tif 000002
【実用新案登録請求の範囲】
【請求項１】
土木工事において、コンクリートを敷き詰めた後に、鉄製の網状のローラーを軽く圧力をかけて回転させることにより、砂利を下部に、一方で細かい砂、セメント、水分からなるモルタル部分を上部表面に分離させて表面を平らにならすために使用する、軽くて機動性があり、加工面にムラのないきれいなモルタル面を形成するためのコンクリート表面ならし機
【考案の詳細な説明】
【技術分野】
【０００１】  この考案は、土木工事におけるコンクリート面表面の仕上げ加工に際して、砂利状の部分を下部に、一方、細かな砂、セメント、水分からなるモルタル部分を表面上部に分離するための土木工事用の仕上げ器具に関するものである。
【背景技術】
【０００２】  従来、コンクリート面の仕上げに際しては、網状の鉄製の板を加工表面にたたきつける用法か、もしくは、この円柱状の網状のローラーの縦列２連式の構造のものを転がす方法であったが、重量も重く、また、コンクリート面との接点が多く摩擦が大きく、楯横移動の可動性によくないなど、問題点が多かった。
【考案の概要】
【考案が解決しようとする課題】
【０００３】  まずは、回転できる構造ではなくて、コンクリート面にたたきつける構造のものは、大きな力を必要として、かつ、動作時に液状のコンクリートが飛散するなど、非常に不合理なものであった。また、縦列２連式回転ローラーによるものも、ローラーの固定面が両サイドにあったため、加工面にロスが生じ、壁の隅部分の加工ができないのに加えて、ローラーが２連であるために設置面が多く、摩擦が大きいことから移動が不便で、かつ、加工面にムラを生ずるなどで、余分な手間と労力を必要としていた。
【課題を解決するための手段】
【０００４】  円柱形で回転させるローラーの半径を大きくし、かつ、ローラーの長さを短くし、回転式のローラー構造部を２連式でなく、単体とした。なおかつ、ローラーの回転軸すなわち固定部分を両サイドから中央にすることにより、両サイドの作業をロスを減らし、作業効率をアップさせた。
【考案の効果】
【０００５】  ローラーの両サイドの作業ロスがなくなるのに加えて、ローラーの支店が中央部にきて、左右の短いローラーが別々に回転することから、作業面との摩擦も少なく、自由自在に左右前後に移動することができ、少しの力で効率的にならし作業が進められる。
【図面の簡単な説明】
【０００６】
【図１】改良型のならし加工機の詳細を示す。
【図２】従来型のならし加工機の２つの例を、図で示す。
【考案を実施するための形態】
【０００７】  回転ローラーの半径を大きくし、なおかつ、支店を中央部分に移設して、長さの短いローラーふたつの組み合わせにすることにより、軽量化と操作性の向上を図るとともに、両サイドの突起をなくし、作業ロスの解消を図った。
【実施例】
【０００８】  土木作業のコンクリート表面仕上げにおいて本考案にかかる機器を利用する。支店を中央におき、ローラーそのものも小さく軽量化することにより、少ない力でなおかつ、加工面にむらをつくることなく、効率的に作業を進め、表面をよりきれいに加工することができる。
【図１】
0003178152.tif 000003
【図２】
0003178152.tif 000004
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
土木工事におけるコンクリート敷設面の仕上げ作業に際して、加工表面にムラのないきれいなモルタル面を形成するための器具で、材質は鉄製で、構造としては、加工面と水平に基軸を中心として２つの別々に回転するネット状の円柱型ローラーを装着し、この２つのローラーの中心から基軸と垂直即ちＴ字型となる形で、両手で支え持ち、前後に転がして作動させるための取っ手即ちコントロールバーを取り付けた形状のコンクリート表面ならし機。
(57)【要約】      （修正有）【課題】外出時に持ち運びもでき、かつ、足、腰の不自由な人のみならず、手に力のない人や足を骨折した時などに使用できる様に腰をまげなくてもひとりでくつ下がはけるくつ下装着補助具を提供する。【解決手段】スティック状の棒１の中間にネジ式の伸縮可動部２を設け、前記スティック状の棒の先端には、プラスチック製であり複数のツメ６を有する楕円形の輪５を設ける。さらに、前記輪は前記スティック状の棒の先端を折りたたみ可能な金具３でつなげてくつ下装着補助具とする。【選択図】図１
0003178160.tif 000002
【実用新案登録請求の範囲】
【請求項１】
スティック状の棒に輪状のツメのあるプラスチックを設け、折りたためる金具、のび縮みの自由な道具を設けることによりくつ下をはくことのできる便利棒である
【考案の詳細な説明】
【技術分野】
【０００１】  本発明は、腰をまげなくてもひとりでくつ下がはける道具である
【背景技術】
【０００２】  身体が不自由なため朝家族が出かける前の忙しい時間にくつ下をはかせてもらっていた。
【考案の開示】
【考案が解決しようとする課題】
【０００３】  毎朝忙しい時間にいちいちはかせてもらうのは少々苦痛である。自分で何とか工夫してはければ家族の者に時間的な負担をかけず自分自身も安心である
【課題を解決するための手段】
【０００４】  本発明は人にたよらず自分自身でいつでも必要を感じた時に使用できるものである
【考案の効果】
【０００５】  上述したように本発明によって自分で、でき行動範囲も広がっていく。
【考案を実施するための形態】
【０００６】  以下  添付図面に従って説明する
１は耐久性のプラスチック等適宣素材で  ２は、ねじまわし式でのびちぢみが自由自在にできる素材、３は折りたためる金具で平たくでき持ちはこべるしじゃまにならない。４はにぎりよい一般的素材  ５は少し楕円形にした、プラスチック製で足にすっぽり入る大きさで  ６はくつ下の口が留めやすいよう、かつ傷つかないようなプラスチック製のツメをつける。
【０００７】  本考案の一実施例は上述の如き構成からなるものであるから、足、腰の不自由な人のみならず、手に力のない人や足を骨折した時などに使用できる。
【図面の簡単な説明】
【０００８】
【図１】本考案のひとりでハケールの一実施例を示す正面図である。
【符号の説明】
【０００９】１  パイプ棒
２  ねじ
３  金具
４  持手
５  プラスチック等の輪
６  プラスチック等のツメ
【図１】
0003178160.tif 000003
【手続補正書】
【提出日】平成24年6月18日(2012.6.18)
【手続補正１】
【補正対象書類名】実用新案登録請求の範囲
【補正対象項目名】全文
【補正方法】変更
【補正の内容】
【実用新案登録請求の範囲】
【請求項１】
くつ下装着補助具であってスティック状の棒の中間にネジ式の伸縮可動部を設け、前記スティック状の棒の先端には、プラスチック製であり、複数のツメを有する楕円形の輪を設け、かつ、前記輪は前記スティック状の棒の先端を折りたたみ可能な金具でつなげられていることを特徴とする  くつ下装着補助具。
(57)【要約】      （修正有）【課題】ハンカチーフを、常に、当初畳んだままの状態に保つことが出来るケースを提供する。【解決手段】縦１５ｃｍ  横３０ｃｍのラミネート加工した横長の透明フィルムをケース本体１とする。ケース本体１の中央に、縦方向に１ｃｍ間隔で、直径１ｍｍの穴２と穴３をあける。太さ１ｍｍ、長さ３０ｃｍのポリウレタン製の透明ゴム紐４を、ケース本体１にあけた二つの穴２，穴３に続けて通し、両端を接着して輪にする。その接着部分を留め具に挿入し補強する。ケース本体の中央に約２ｍｍ間隔の縦二本の折り目を入れ、本のように開閉できる状態に折る。その際、輪となっているゴム紐がケース本体を通過して本体の表と裏の両面に出ているので、ゴム紐に留め具を施した面を内側と定め、谷折りとする。次に、ケースを閉じ外側に出ている部分の輪ゴムを四隅に順次引きかけることにより、開口部の開放防止及び収納したハンカチ等が中より抜け出ることを防ぐ。【選択図】図２
0003178157.tif 000002
【実用新案登録請求の範囲】
【請求項１】
本考案の製品化にあたり、素材にラミネート加工したポリエチレン製のフィルムを用いたこと。
【請求項２】
開閉具として通常用いられるスナップ等の厚みのあるものを避け、ポリウレタン製のゴム紐を用いたこと。
操作が簡単でかさ張らず、清潔である。
【請求項３】
想定される収納物の寸法、形状に応じた製品を作成可能であること。
たとえば、大・中・小、正方形・長方形など、本製品の利用範囲が広がる。
【考案の詳細な説明】
【考案の概要】
【考案が解決しようとする課題】
【０００１】  薄手・大判のハンカチーフは、ハンドバッグの中で他の小物類と重なりあって皺になったり汚れたりして、畳んだままの美しい状態を保ちにくい。
そこで、バッグの中から何時でも皺がなく清潔なハンカチーフを取り出せるようにしたい。
【課題を解決するための手段】
【０００２】  ラミネート加工した透明ポリエチレン・フィルムを用い、畳んだハンカチをブックカバーの要領で両側から挟み、ゴム紐で止めるだけのケースを考案した。
【考案の効果】
【０００３】  本考案品の素材としてラミネート・フィルムを用いたことによって、美しく清潔感があり、薄手の上にきわめて軽量で丈夫な製品に仕上がった。
また、開口部の開閉をゴム紐一本で出来るところが、簡便さと使い勝手の良さをもたらしている。
さらに、ケース類に通常使われるスナップ等の開閉具を用いないため、ほとんど厚みがなく、かさ張らず、複数のケースを携帯することが可能である。たとえば、使用後の湿ったハンカチを別途に収納でき、花粉症や風邪等のために用いたマスクの始末などにも便利である。
加えて、同じ製法で、大きさを自在に変えられるので、大小のハンカチやスカーフあるいは旅行用品などに応用できる。
【図面の簡単な説明】
【０００４】
【図１】  ケース本体の平面図である。
【図２】  完成品の斜視図である。
【図３】  完成品を開いて内側から見た状態の斜視図である。ゴム紐の留め具を内側に設けたところを本図で示した。
【考案を実施するための形態】
【０００５】  以下、本考案の実施の形態について説明する。
縦１５ｃｍ  横３０ｃｍのラミネート加工した横長の透明フィルムをケース本体１とする。  ラミネート加工の際、模様入りの紙などを挟み込み、見た目の美しさと個々の製品の個性化を図る。
ケース本体１の中央に、縦方向に１ｃｍ間隔で、直径１ｍｍの穴２と穴３をあける。
太さ１ｍｍ、長さ３０ｃｍのポリウレタン製の透明ゴム紐４を、ケース本体１にあけた二つの穴２，穴３に続けて通し、両端を接着して輪にする。このことでゴム紐４はケース本体１から離脱しなくなる。その接着部分を留め具５に挿入し補強する。留め具には、内径１．５ｍｍ、長さ１ｃｍのビニールパイプを用いる。
ケース本体の中央に約２ｍｍ間隔の縦二本の折り目を入れ、本のように開閉できる状態に折る。その際、輪となっているゴム紐がケース本体を通過して本体の表と裏の両面に出ているので、ゴム紐に留め具を施した面を内側と定め、谷折りとする。
次に、ケースを閉じ外側に出ている部分の輪ゴムを四隅に順次引きかけることにより、開口部の開放防止及び収納したハンカチ等が中より抜け出ることを防ぐ
【符号の説明】
【０００６】  １  ケース本体
２  直径１ｍｍの穴
３  直径１ｍｍの穴
４  直径１ｍｍのウレタン・ゴム紐。点線はケース本体の陰に隠れている部分を表して      いる。
５  留め具でゴム紐の接着部分を止めた部位
６  折り目
７  折り目
【図１】
0003178157.tif 000003
【図２】
0003178157.tif 000004
【図３】
0003178157.tif 000005
【手続補正書】
【提出日】平成24年6月15日(2012.6.15)
【手続補正２】
【補正対象書類名】実用新案登録請求の範囲
【補正対象項目名】全文
【補正方法】変更
【補正の内容】
【実用新案登録請求の範囲】
【請求項１】
ハンドバッグ内のハンカチをしわなく清潔に保つためのケースであって、ラミネート加工して二つ折りにした四角形の紙を本体とし、補助具として輪ゴムを本体の一部に固定した事を特徴とするケース。
(57)【要約】      （修正有）【課題】畳の床下の空間を利用し、囲炉裏台を油圧制御により上昇下降する事で、囲炉裏台を出したり収納したりできる様にした油圧制御式昇降型囲炉裏を提供する。【解決手段】囲炉裏３が組み込まれている囲炉裏台の脚となる支柱として、油圧による加圧減圧するシリンダ状の支柱ジャッキ４ａ〜４ｄを設け、また別のジャッキのシリンダ内の弁の中心に雌ネジの穴が開けてあり、雄ネジのある棒を回転させ弁を前後に移動することにより、支柱ジャッキに加圧減圧の制御が出来る制御ジャッキ４ｅを備える。また、支柱ジャッキ４本と制御ジャッキ１本が全てパイプでつながっており、制御ジャッキの棒を回転させ弁を前進させると、油はパスカルの原理により、均等に４本の支柱ジャッキを加圧上昇させ囲炉裏として利用できる高さまで上げ、逆に制御ジャッキの棒を回転させ弁を後退させると、囲炉裏台は収納される。【選択図】図１
0003178154.tif 000002
【実用新案登録請求の範囲】
【請求項１】
和室の畳一枚分を利用し、囲炉裏を作成する。この囲炉裏を作成した畳一畳分の部分は、油圧制御にて上昇下降する。囲炉裏として使用する時は、昇降スイッチの上昇ボタンを押す事で、囲炉裏のある所がせり上がる。囲炉裏の上に載っている畳を取り除き、防火ふたを外せば囲炉裏として使用が可能となる。囲炉裏として使用しない時は、防火ふたをかぶせ、畳を載せて昇降スイッチの下降ボタンを押して周りの畳と同じ高さまで下降させる。こうする事で普通の和室としても利用出来る。なお、和室に特化して記述してあるが、フローリング、カーペットの床でも設置可能であれば同様する。
【考案の詳細な説明】
【技術分野】
【０００１】  本考案は、畳下の空間を有効に利用する為、畳一畳分のスペースを油圧ジャッキ等にて昇降させ、そこに囲炉裏を作り込む事により、手軽に囲炉裏のある家を楽しむ事ができ、収納すれば普通の和室として利用が可能である。
【背景技術】
【０００２】  昔はどの家庭にもあった囲炉裏は、今やどこに行っても見ることが出来ない。暖を取るだけでなく、家族のコミュニケーションの場でもあった。平成２３年３月１１日の東日本大振災により、現代の人々がいかに他力本願のエネルギー保給に依存しているかが顕著に表われた。ライフラインを全て断たれてしまうと、暖もとれず暗やみで生活せざるを得ない状況に曝された。この様な時こそ囲炉裏があれば、暖もとれる事はもちろん、料理や照明代りにもなる。また、炎の１／ｆのゆらぎは、人の心を落ちつかせる効果もある。そのため、いざっと言う時に、囲炉裏が利用出来るといいと考えた。
【考案の概要】
【考案が解決しようとする課題】
【０００３】  始めから囲炉裏のある住宅を建てるのは、現代の社会的住宅事情から考えても困難であり、通常はごく普通の和室として使用し、必要に応じて囲炉裏を床下から上昇させ、囲炉裏を利用する。
【課題を解決するための手段】
【０００４】  畳一畳分の床下の空間を利用し、畳一畳内におさまる囲炉裏を作成し、その部分を油圧ジャッキを利用して上昇下降させる。これにより、囲炉裏を利用する時は上昇させ、囲炉裏が不要な時は下降させ収納する。
【考案の効果】
【０００５】  本考案により、囲炉裏を利用したい時に、床下から上昇させ囲炉裏のある風流な感じを味わえると共に、囲炉裏本来の利用をする事により、電力やガス、石油と言ったエネルギーに依存せず、東日本大振災にて、大量に出た木材を利用する事によりエコロジーにも効果があると考える。
【図面の簡単な説明】
【０００６】
【図１】本考案の油圧制御式昇降型囲炉裏の一実例を示す正面図である。
【考案を実施するための形態】
【０００７】  和室の畳一畳分以内のスペースに囲炉裏を作成し使用するために、油圧制御により、囲炉裏部分の上昇下降を行う。なお油圧の制御は、スイッチを押すだけの簡単なものにする。
【実施例】
【０００８】  昇降スイッチ５の上昇ボタンを押すと、囲炉裏のある畳一畳分のスペースが上昇し、畳と防火ふたを取り除けば、すぐにでも囲炉裏として使用可能となる。囲炉裏を使用した後は、火が完全に消えているのを確かめ、防火ふたでふたをして、畳を載せて、昇降スイッチ５の下降ボタンを押すと周囲の畳と同じ高さになる。
【符号の説明】
【０００９】  １  畳
２  防火ふた
３  囲炉裏
４  油圧ジャッキ
５  昇降スイッチ
６  ＡＣ／ＤＣコンバータ
【図１】
0003178154.tif 000003
【手続補正書】
【提出日】平成24年6月11日(2012.6.11)
【手続補正１】
【補正対象書類名】実用新案登録請求の範囲
【補正対象項目名】全文
【補正方法】変更
【補正の内容】
【実用新案登録請求の範囲】
【請求項１】
本考案において、
（１）形状として、囲炉裏が組み込まれている台（以下囲炉裏台と称する）の脚となる支柱を、油圧による加圧減圧するシリンダ状の油圧ジャッキ（以下支柱シャッキと称する）として４本あり、また別のジャッキのシリンダ内の弁の中心に雌ネジの穴が開けてあり、雄ネジのある棒を回転させ弁を前後に移動することにより、支柱ジャッキに加圧減圧の制御が出来る油圧ジャッキ（以下制御ジャッキと称する）が１本あり、
（２）組み合せ構造は、支柱ジャッキ４本と制御ジャッキ１本が全てパイプでつながっており、制御ジャッキの棒を回転させ弁を前進させると、油はパスカルの原理により、均等に４本の支柱ジャッキを加圧上昇させ囲炉裏として利用できる高さまで上げ、逆に制御ジャッキの棒を回転させ弁を後退させると、支柱ジャッキ内の油が減圧下降し４本の支柱ジャッキが畳を敷ける高さまで囲炉裏台は収納され、
（３）考案の対象として、畳の床下の空間を利用し、囲炉裏台を油圧制御により上昇下降する事で、囲炉裏台を出したり収納したりできる様に、支柱ジャッキと制御シャッキに実現可能としており、
本考案は、和室畳下の空間を利用する事を前定としているが、洋間のフローリングの板の間も同様に適用可能とし、和室の場合においては一畳以内のサイズであれば、市販の家具調こたつの利用をも適用可能とし、
以上からなる油圧制御式昇降型囲炉裏。
(57)【要約】      （修正有）【課題】使用に際して、鼻や口の周囲の呼吸空間が狭いために過度の湿気や閉塞感などからくる不快を軽減するためのマスクと併用する小品を提供する。【解決手段】鼻と口の周囲の呼吸空間を広く保ち過度の湿気や閉塞感を極力少なくすることを主目的としたドーム型の小品１を、既製のマスクの下に併用する。【選択図】図２
0003178151.tif 000002
【実用新案登録請求の範囲】
【請求項１】
鼻と口の周囲の呼吸空間を確保するための、マスクと併用するドーム型の小品
【請求項２】
本体に複数の孔を有する、あるいは、孔を有さない請求項１の小品
【請求項２】
鼻柱部に形状調整用具を装着した請求項１ならびに請求項２の小品
【考案の詳細な説明】
【技術分野】
【０００１】  本考案は、口と鼻を覆うマスク使用時の、鼻口周囲の不快感を緩和するための小品に関するものである。
【背景技術】
【０００２】  口と鼻を覆うマスクは防寒、防塵、防感染、防紫外線などの目的で広く使用される。その性質として呼吸がし易くて装着感の良いことやデザイン性などが求められる半面、フィルター性能が高く鼻柱周囲や顎部などに隙間が出来ないことや眼鏡が曇り難いことなども求められる。その素材や形態は千差万別ともいえるが、この諸々の条件を単品で充足することは困難といえる。そのため、多くの製品は用途を限定することで、それぞれの特徴を生かそうとしている。【０００３】  マスクを装着した時に起こる口鼻周囲の閉塞感や過度の湿気などによる不快感は多くの製品に共通した弱点といえる。特に、フイルター効果を高める目的などで本体の下にガーゼなどを組み合わせて使用する場合には、その不快感はますます増強する。主として工事現場などで使用されるドーム型のものはこの弱点がもっとも少ないといえるが、大型であるため日常生活で使用するのには敬遠される。マスク本体の形状を工夫したり口元にワイヤーなどを装着して、口元とマスクとの空間を確保しようとするものも存在するが、その広さは充分とは言い難い。
【考案の概要】
【考案が解決しようとする課題】
【０００４】  マスクと鼻口周囲の空間を広く保ち、過度の湿気や閉塞感を少なくする。
【課題を解決するための手段】
【０００５】  鼻口周囲の空間を広く保ち過度の湿気や閉塞感を極力少なくすることを主目的としたドーム型の小品を既製のマスクの下に併用することによって、課題を解決することができる。
【図面の簡単な説明】
【０００６】
【図１】前面図
【図２】左側面図
【図３】背面図
【考案を実施するための形態】
【０００７】  鼻と口を一体として覆うドーム型の小品。鼻部の形体は鼻柱に近似し、口を覆う部分は頬ならびに下顎と口元とが成す窪みに接地する形体とする。上にマスクを使用するため、本体は必ずしも顔に密着する必要はない。大きさは、マスクの端を持ち上げて顔との間に隙間を作らない程度のものとする。底面からドームの頂点までの高さは、マスクを着用していて不自然と感じさせない程度とする。
【実施例】
【０００８】  本小品の素材は弾力性や形状の復元性があってドーム型を維持し易いものでなければならない。これによって、折りたたみ携帯も容易となる。肌触りが良く吸湿性で通気のよいのものが優れる。素材自体に高性能なフィルター機能を有するものを使用することによって、マスク機能を補充することも出来る。【０００９】  サイズは顔の大きさの個人差を考慮して数種類を揃える。本小品の前面に複数の孔を有するものと無孔のものを用意する。無効のものは主として保温やフィルター機能を重視する場合に使用し、有孔のものは楽に呼吸が出来ることを目的として使用する。本小品の鼻柱部に形状調整用具を装着することによって、マスク自体のそれと相まって眼鏡の曇り防止効果を増す。
【産業上の利用可能性】
【００１０】  本考案を製品に仕上げるのに技術的には何ら問題はないと考えられる。本考案の小品をマスク本体と組み合わせて販売することも出来るし、単品として販売して好みや機能に応じて購入したマスクと併用することなどが想定され、産業上の利用の可能性は高いと考えられる。
【符号の説明】
【００１１】  １  本考案の小品の本体
２  鼻柱部形状調整用具
【図１】
0003178151.tif 000003
【図２】
0003178151.tif 000004
【図３】
0003178151.tif 000005
【手続補正書】
【提出日】平成24年2月14日(2012.2.14)
【手続補正２】
【補正対象書類名】実用新案登録請求の範囲
【補正対象項目名】全文
【補正方法】変更
【補正の内容】
【実用新案登録請求の範囲】
【請求項１】
鼻と口の周囲の呼吸空間を確保するための、マスクと併用するドーム型の小品
【請求項２】
本体に複数の孔を有する、あるいは、孔を有さない請求項１の小品
【請求項３】
鼻柱部に形状調整用具を装着した請求項１ならびに請求項２の小品
【請求項４】
本体にマスク本体との接着用テープを装着した請求項１、請求項２ならびに請求項３の小品
【請求項５】
本体に耳掛け用紐を装着した請求項１、請求項２、請求項３ならびに請求項４の小品
【手続補正書】
【提出日】平成24年3月30日(2012.3.30)
【手続補正１】
【補正対象書類名】実用新案登録請求の範囲
【補正対象項目名】全文
【補正方法】変更
【補正の内容】
【実用新案登録請求の範囲】
【請求項１】
鼻と口を一体として覆うマスクと併用するドーム型の小品
【請求項２】
本体に複数の孔を有する、あるいは、孔を有さない請求項１の小品
【請求項３】
鼻柱部に本体と鼻梁とが密着し易くする形状調整用具を装着した請求項１または２記載の小品
【手続補正書】
【提出日】平成24年6月7日(2012.6.7)
【手続補正１】
【補正対象書類名】実用新案登録請求の範囲
【補正対象項目名】全文
【補正方法】変更
【補正の内容】
【実用新案登録請求の範囲】
【請求項１】
マスクと併用する、鼻と口を一体として覆うドーム型の小品
【請求項２】
本体に複数の孔を有する、あるいは、孔を有さない請求項１の小品
【請求項３】
鼻柱部に本体と鼻梁とが密着し易くする、可塑性の金属薄片からなる形状調整用具を装着した請求項１または２記載の小品
(57)【要約】      （修正有）【課題】縁起物の飾り物として重要な構成素材としての福俵が、他の飾り物に比べて中心的な場所で出来るだけ大きくより目立つ様にし、バランスを潰すことなく調整し、縁起物として治めることができるハーフ俵を提供する。  【解決手段】福俵本体１の胴の長さ３を、胴の中央部の直径比を１００とした場合胴の長さ３を１００以下とする事を特徴とするハーフ俵。【選択図】図１
0003178193.tif 000002
【実用新案登録請求の範囲】
【請求項１】
福俵本体の胴の長さを、胴の中央部の直径比を100とした場合、胴の長さを100以下とする事を特徴とするハ−フ俵。
【考案の詳細な説明】
【技術分野】
【０００１】
本考案は、縁起物の飾り物用のハ−フ俵に関する。
【背景技術】
【０００２】
縁起物の飾り物用としての福俵は、実物の俵と違和感を感じさせない事や豪華さの面  からも他の飾り物と比較して目立つ場所へ配置し出来るだけ大きく、しかし、縁起物の  飾り物である以上全体としてのバランスを図る事は当然である。だが、福俵だけが大き  くその他の飾り物とのバランスを潰す様になっては台無しである。これ等諸々の矛盾を  如何に調和させるかが問われている。
【考案の概要】
【考案が解決しようとする課題】
【０００３】
縁起物の飾り物として重要な構成素材としてのハ−フ俵は、重要なだけに他の飾り物  に比べて中心的な場所で出来るだけ大きくより目立つ様にしたいが大きくすればする程  飾り物全体の中でハ−フ俵だけが大きくその他の飾り物とのバランスを潰す様になって  は台無しである。この矛盾する課題を調整し縁起物として治めることが、強く求められ  ている。
【課題を解決するための手段】
【０００４】
ハ−フ俵本体の胴の長さを、胴の中央部の直径比を100とした場合胴の長さを100以下とする事を特徴とするハ−フ俵。
【考案の効果】
【０００５】
本考案は、縁起物の飾り物としての福俵の正面は許容最大限に大きくでき、福俵の胴の長さを胴の中央部の直径比を100とした場合胴の長さを100以下として福俵の背面に繋がる。すなわち、一般的な福俵の胴を中間で一部削除した状態で福俵の主張を確保し福俵としての働きを最大限に発揮する事が可能となる。
【図面の簡単な説明】
【０００６】
【図１】ハ−フ俵の正面斜視図
【図２】ハ−フ俵の背面斜視図
【実施例】
【０００７】
以下、本考案の一実施例について図面を参照して説明する。
図１は、ハ−フ俵本体 １ であり今日まで縁起物の飾り物として利用されてきた福俵で重要な構成素材としてその重要性から見た目にも実物の俵と違和感を感じさせないことや豪華さが確保されることが重要である。実物の構造は、本来の中身である穀物を植物性資材で袋状にしてその上から紐状のもので縛って俵を作っている。飾り物としてハ−フ俵本体 1 の各名称を本体前面を紐状のものを含めてハ−フ俵の正面部 ２   ハ−フ俵の胴部 3 を紐状のものを含めてハ−フ俵の胴部 ３ とし、ハ−フ  俵全体を縛る紐 4とする。
【０００８】
図１の飾り物として利用されてきたハ−フ俵の胴部 ３ の外側は、糸とか植物性資材等で作られ、中身は発泡スチロ−ルや稲殻等が入れて作られハ−フ俵の胴部  ３ が一般的な福俵の胴より短い以外は全体として変わる所はない。
【０００９】
ハ−フ俵は、糸やイ草・マコモ等で作られるが製作工程の一例として糸で作られるハ  −フ俵については次の手順による。
先ず、最初はハ−フ俵の本体で本来は穀物が入るが縁起物として作る場合は穀物の代  わりに発泡スチロ−ルで作ろうとする型を作る。そして、図1のハ−フ俵の正面部 ２ の中心と図2 ハ−フ俵の背面部 5 の中心を軸として少しずつ回転させながら糸を張って型に巻いて行く。そして、糸で型を隠し終えた段階で糸巻は終り巻初めと巻き終りを接着剤で止めて糸巻は終了し、型通りの俵が出来上がる。次に、図1、図2のハ−フ俵全体を縛る紐 4 をハ−フ俵の糸を確りと固定する為にハ−フ俵を縛る。
【００１０】
ハ−フ俵は、一俵で主役を務める場合もあれば複数俵を束ねて主役を務める場合もある。
【００１１】
ハ−フ俵は、本体の随所に縁起物の飾り物を止める串を刺す事が出来る様に発泡スチ  ロ−ルは利用価値が高い。また、モミ殻等をハ−フ俵に入れる場合はイ草やマコモ等で  ハ−フ俵本体 1 を作るとシックリ感が出て良い俵が出来る。
【００１２】
図2は、ハ−フ俵の胴部 3 を必要最小限確保したハ−フ俵の正面部 ２  の反対側のハ−フ俵の背面部 ５ である。
【符号の説明】
【００１３】
1．ハ−フ俵本体
2．ハ−フ俵の正面部
3．ハ−フ俵の胴部
4．ハ−フ俵全体を縛る紐
5．ハ−フ俵の背面部
【図１】
0003178193.tif 000003
【図２】
0003178193.tif 000004
(57)【要約】      （修正有）【課題】就寝時における肩口付近からの冷気の流入に対し、これを簡便な方法で防止できるようにする上掛け寝具を提供する。【解決手段】上掛け寝具本体１に凹部２を設けることによって、この凹部２に頭部３を当てはめて寝るという簡便な方法で、就寝者の肩口付近がすべて寝具に覆われるようにした。【選択図】図１
0003175162.tif 000002
【実用新案登録請求の範囲】
【請求項１】
上掛け寝具の一端の中央部分に、就寝者の頭部が当てはまる形状の凹部を設けたことを特徴とする上掛け寝具。
【考案の詳細な説明】
【考案の概要】
【考案が解決しようとする課題】
【０００１】就寝者の肩口付近からの冷気流入防止のために、上掛け寝具に付加するカバー等が従来から考案されてきたが、実際の使い勝手があまりよくないなど、必ずしも実用には向かないという問題点があった。
【課題を解決するための手段】
【０００２】上掛け寝具に冷気流入防止のための物件を付加するというやり方ではなく、上掛け寝具の形状そのものを変更するという方法を採用した。【０００３】上掛け寝具本体１の一端の中央部分に、就寝者の頭部３が当てはまる形状の凹部２を設けたことにより、就寝の際には、凹部２の両側に来る上掛け寝具の一部が自ずと就寝者の両肩まで覆うようにした。
【考案の効果】
【０００４】上掛け寝具の凹部２に頭部３を当てはめるようにして寝るという簡単な動作により、就寝者は容易に肩口付近からの冷気流入防止の効果を得られる。
【図面の簡単な説明】
【０００５】
【図１】上掛け寝具本体１の一端の中央部分に凹部２を設けたことを示す平面図である。
【図２】上掛け寝具本体１の凹部２に就寝者が頭部３を当てはめていることを示す平面図である。
【図１】
0003175162.tif 000003
【図２】
0003175162.tif 000004
(57)【要約】      （修正有）【課題】作業の為に持ち歩く工具の軽減と、作業効率の向上を実現する水平器を提供する。【解決手段】ダイヤル式変動気泡管４を設ける事で、従来スラントルールと水平器を持ち歩いていたものが、一つで済み携帯する工具の軽減になる。丁張りヌキ固定用溝５，６を設ける事で、一人での作業も迅速かつ容易に行える。表裏識別ライン７を設ける事で、作業中の工具状態を把握できる。【選択図】図１
0003175166.tif 000002
【実用新案登録請求の範囲】
【請求項１】
本体下部に丁張りヌキ固定用溝を設けたことを特徴とする水平器。
【請求項２】
ダイヤル式変動気泡管を設け、スラントルール機能を持たせたことを特徴とする請求項１記載の水平器。
【考案の詳細な説明】
【技術分野】
【０００１】  この考案は、土木工事における丁張り設置作業の使用工具に関する。
【背景技術】
【０００２】  従来の丁張り設置作業に用いる工具として、スラントルールと水平器を併用している。水平器は、図３に示すように三つの気泡管は２「水平」・３「垂直」・４「１割勾配」に固定されている。
【先行技術文献】
【特許文献】
【０００３】
【非特許文献】
【０００４】
【考案の概要】
【考案が解決しようとする課題】
【０００５】  しかしながら、以上の技術によれば、常時二つの工具を持ち歩き作業も二人で行うのが主体である。
理由としては、工具を丁張りヌキに固定出来ない為、一人が勾配を確認しもう一人がヌキを固定するという作業によるものである。
しかも二つの工具を交互に使用しながらの比較的手間のかかる作業である。
そこでこの考案は、作業の為に持ち歩く工具の軽減と、作業効率の向上を提供する事を課題とする。
【課題を解決するための手段】
【０００６】  以上の課題を解決するために、第一考案は、工具の下部に溝を設ける事により、丁張りヌキに固定できる事を特徴とする。
また、第二考案は、従来固定されていた三つの気泡管の一つ（１割勾配）をダイヤル式とし勾配を変化できる気泡管を設けた事を特徴とする。
【考案の効果】
【０００７】  第一考案、または第二考案によれば、丁張りヌキに固定できる事で、一人での作業も容易になり迅速かつ正確な作業が可能である。
また、ダイヤル式の気泡管を設けた事で工具が一つになり、携帯する工具の軽減になる。
【図面の簡単な説明】
【０００８】
【図１】この考案の一実施形態を示す平面図・側面図・断面図である。
【図２】この考案のダイヤル式気泡管を示す拡大図である。
【図３】従来技術を示す平面図・側面図・断面図である。
【考案を実施するための形態】
【０００９】  この考案の一実施形態を、図１に示す。
丁張り固定式水平器の本体１はアルミ製であり、この本体に付属する気泡管２．３は従来の水平器と同じく水平・垂直の固定式であるが、気泡管４は勾配変動式である。
断面図の５は半ヌキ固定用溝、６は本ヌキ固定用溝である。
側面図７は、表裏確認用として色別のラインを設けている。
【実施形態の効果】
【００１０】  この実施形態によれば、４のダイヤル式の変動気泡管を設けた事で、従来スラントルールと水平器を持ち歩いていたものが、一つで済み携帯する工具の軽減になる。
また５・６の丁張りヌキ固定用溝を設けた事で、一人での作業が容易になり効率の向上が図れる。
【他の実施形態】
図１の実施形態では、丁張り固定用溝はすべり止めは設けていないが、すべり止めとして内部に小突起を複数配す事も良とする。
【符号の説明】
【００１１】１  丁張りヌキ固定式  水平器本体  ２  固定式気泡管（水平用）  ３  固定式気泡管（垂直用）  ４  ダイヤル式変動気泡管（勾配用）  ５  半ヌキ固定用溝  ６  本ヌキ固定用溝  ７  表裏識別ライン
【図１】
0003175166.tif 000003
【図２】
0003175166.tif 000004
【図３】
0003175166.tif 000005
(57)【要約】      （修正有）【課題】手袋の内側に手の平及び手の甲の指圧ツボが当たる部分にゴムイボを設けた指圧手袋を提供する。【解決手段】手袋の内側に手の指圧ツボが当る様にゴムイボから成る突起物を設ける。手袋の内側に手の平及び手の甲の指圧ツボが当たる部分にゴムイボを設ける事により、物を握る作業によってゴムイボが指圧ツボに刺激を与える。また、体の不自由な高年者には手袋を着用するだけで手袋の網の着装圧力及び手の動きによって十分にツボにゴムイボが直接触れるので、血行が促進され内臓器官に活性を促し新陳代謝が高めることができる。【選択図】図３
0003175159.tif 000002
【実用新案登録請求の範囲】
【請求項１】
手袋の内側に手の指圧ツボが当たる部分にゴムイボを設けた指圧手袋。
【考案の詳細な説明】
【技術分野】
【０００１】  本考案は、手袋の内側にゴムイボ状の突起物を設けた指圧手袋に関するものである。
【背景技術】
【０００２】  足ツボ等を刺激する靴の中敷はあったが、手の平及び手の甲のツボを刺激するものはなかった。
【先行技術文献】
【０００３】
【特許文献】
【特許文献】  実用新案公開  平６−５４７２１
【考案の概要】
【考案が解決しようとする課題】
【０００４】  手袋の内側に滑り止めを設けてなるとの事、又、赤ちゃんの靴下の滑り止め、又一般手袋の表面に物を持つ時のすべり止め用に無数のゴムイボを設けたものがあったが、本考案は手袋の内側に手の平及び手の甲の指圧ツボに当たる部分にゴムイボを設けて指圧する指圧手袋を提供する。
【課題を解決するための手段】
【０００５】  手袋の内側に手の平及び手の甲の指圧ツボが当たる部分にゴムイボを設けた指圧手袋を提供することを目的とする。
【考案の効果】
【０００６】  手袋の内側に手の平及び手の甲の指圧ツボが当たる部分にゴムイボを設け物を握る作業によってゴムイボが指圧ツボに刺激を与え又、体の不自由な高年者には手袋を着用するだけで手袋の網の着装圧力及び手の動きによって十分にツボにゴムイボが直接触れるので、十分に血行が促進され内臓器官に活性を促し新陳代謝が高めることができる。
【図面の簡単な説明】
【０００７】
【図１】右手の甲の表面にある各指圧ツボの位置を示した図である。
【図２】右手の平の表面にある各指圧ツボの位置を示した図である。
【図３】本考案の手袋内側に設けた手の平の各指圧ツボゴムを表した手袋内部の展開図である。
【図４】本考案の手袋内側に設けた手の甲の各指圧ツボゴムを表した手袋内部の展開図である。
【図５】手袋素材の断面図に熱着して設けたゴムイボの断面図である。
【考案を実施するための形態】
【０００８】手袋内側の素材に手の平及び手の甲の指圧ツボが当る部分にゴムイボを設けた手袋。
【実施例】
【０００９】以下、本考案の実施例について説明する。
手袋の内側にゴムイボを設けた指圧手袋を装着して従来通りの手作業を行う。
【産業上の利用可能性】
【００１０】本考案の手袋を使用して手作業を行えばゴムイボが指圧ツボに刺激を与え、又体の不自由な高齢者には手袋を着用するだけで十分に手のツボをゴムイボが触れ十分に血行が促進される。又靴下にも応用が可能であり産業医、医療用具になりうる物である。
【符号の説明】
【００１１】１  右手の甲の各指圧ツボの位置
２  右手の平の各指圧ツボの位置
３  右手袋の下内側に設けた右手の平の各指圧ゴムイボ
４  右手袋の上内側に設けた右手の甲の各指圧ゴムイボ
５  手袋素材
５’  手袋素材の断面図
３’  手袋素材に設けた突起ゴムイボの断面図
【図１】
0003175159.tif 000003
【図２】
0003175159.tif 000004
【図３】
0003175159.tif 000005
【図４】
0003175159.tif 000006
【図５】
0003175159.tif 000007
(57)【要約】      （修正有）【課題】バックミラーの角度調整により、バック、左右後方、左右真横の全部が一つのバックミラーで確認出来るバックミラーを提供する。【解決手段】バックミラー本体１と調整器具２に折曲ミラー３を取り付け、手で調整する事により、バック、左右後方、左右真横のすべてがトータルのミラーで確認出来る様にバックミラーを構成する。【選択図】図２
0003175151.tif 000002
【実用新案登録請求の範囲】
【請求項１】
バックミラー本体（１）と調整器具（２）に折曲ミラー（３）を取り付け、手で調整する事により、バック、左右後方、左右真横のすべてがトータルのミラーで確認出来る様にしたバックミラー。
【考案の詳細な説明】
【技術分野】
【０００１】  本考案はバックミラー構造に関し、サイドミラーも兼用し、車線変更時、又はバックする時、１つのバックミラーで、すべておぎなう物とする。
又、サイドミラーを無くす事により、狭い道路での運用をスムーズにする利点もある。
【背景技術】
【０００２】  従来のバックミラーでは車線変更、又は左折、右折時、バックミラーとサイドミラーではおぎなえない真横の死角があり、左右の確認が不十分な場合、事故になる場合がある。
【考案が解決しようとする課題】
【０００３】  今までのバックミラーではワイドなものがあるが、それですべてはおぎなわれない。
【０００４】  左右真横の道路状況の確認は首を回転せねばならず、又は忘れた時など事故になる危険が増大する。
【０００５】  車をバックする時、バックミラーとサイドミラーで、左右の車間と、バック位置を目認するが、色々目視しなければならない。
【０００６】  狭い道で交差する時、サイドミラーが一番当たりそうになる。
【課題を解決するための手段】
【０００７】  バックミラーの左右に角度調整出来るようにしたミラーを取り付ける。
【考案の効果】
【０００８】（１）バックミラーの角度調整により、バック、左右後方、左右真横の全部が一つのバックミラーで確認出来る。
（２）サイドミラーが不要になり、狭い道の車のすれ違いや、狭い所の車入れが簡単になる。
（３）又、一つのバックミラーで車線変更時や、左右曲がるときに真横のサイドミラーの死角を首を回転せずに確認出来るので、安全性も向上する。
（４）サイドミラーを無くす事により、車のデザインが画期的にスマートに仕上がる。又、グローバリゼーションの中、設備資金をサイドミラーにしなくてよい分、価格面で競争力が付く。
【図面の簡単な説明】
【０００９】
【図１】本考案のバックミラーの正面図である。
【図２】本考案の補助ミラーを角度調整した正面図である。
【考案を実施するための形態】
【００１０】  以下、本考案のサイドミラー兼用の、左右後方、左右真横、バックがすべて一つのバックミラーで確認出来る。その実施の最良の形態について図面に示す実施例に基づいて具体的に説明する。
【実施例】
【００１１】  図１は本考案の実施例を示すものであり、バックミラー本体１の横に角度調整器具２を付けて、補助ミラー３を取り付ける。【００１２】  図２は左右折り曲げて、サイドが見えるようにしたバックミラーの図である。
【符号の説明】
【００１３】１…バックミラー本体
２…角度調整器具
３…サイドミラー
【図１】
0003175151.tif 000003
【図２】
0003175151.tif 000004
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
バックミラー本体（１）の両側に角度調整器具（２）を付け角度調正器具（２）にサイドミラー（３）を取り付け、サイドミラー（３）の角度を手で調整する事により、バック、左右後方、左右真横のすべてがひとつのミラーで確認出来る様にしたバックミラー。
(57)【要約】      （修正有）【課題】使い捨て歯ブラシにおいて、ブラシ部と柄部を接着成形することで、何時でも必要時に簡単迅速に歯や口中の洗浄を行える小型サイズの環境にも配慮した使い捨て歯ブラシを提供する。【解決手段】棒状の柄部の一端にブラシ部の付いた歯ブラシに於いて、その柄部は材料に紙、木、竹等の植物性素材または生分解性プラスチックを用い、ブラシ部は柄部への接着面を有する取付け部と共に合成樹脂にて形成し、更にブラシ部に予め歯磨き剤を塗布して使い捨て歯ブラシを形成する。【選択図】図１
0003175154.tif 000002
【実用新案登録請求の範囲】
【請求項１】
棒状の柄部の一端にブラシ部の付いた歯ブラシに於いて、その柄部は材料に紙、木、竹等の植物性素材、または生分解性プラスチックを用い、ブラシ部は柄部への接着面を有する取付け部とともに合成樹脂にて形成し、更にブラシ部に予め歯磨き剤が塗布された使い捨て歯ブラシ。
【請求項２】
また別の製造方法として、生分解性プラスチックまたは合成樹脂により、ブラシ部及び柄部を一体化形成し、ブラシ部に予め歯磨き材が塗布された使い捨て歯ブラシ。
【考案の詳細な説明】
【技術分野】
【０００１】
本考案は、何時でも必要時に簡単迅速に歯や口中の洗浄を行うための、小型サイズの環境にも配慮した使い捨て歯ブラシに関するものである。
【背景技術】
【０００２】
従来の使い捨て歯ブラシとしては、すでに様々な文献があるが、例えば一枚の薄い板状のものを折り重ねて歯ブラシとしたもの（例えば特許文献１参照）、歯ブラシのブラシ部位のみを指に装着して歯を磨くもの（例えば特許文献２参照）等がある。
【先行技術文献】
【特許文献】
【０００３】
【特許文献１】特開平０３−１３６６０７号公報
【特許文献２】特開２００５−３１８９１１号公報
【考案の概要】
【考案が解決しようとする課題】
【０００４】
しかしながら従来の技術には次のような問題点があった。
特許文献１に付いては、歯ブラシの形に切り抜いた薄い板状の合成樹脂を何枚か折り重ねて歯ブラシとするため、その作業をしてからでなければ使用できないことと、ブラシ幅が狭く磨きにくいといった不便さがある。
特許文献２に付いては、歯ブラシのブラシ部位のみを指先に装着して使用するため、口内に指を差し入れての歯磨きとなる。この方法は洗面所等人前では使用しにくいという難点があり、最大の問題点は、化粧の口紅、指先のネイルといった事由により、多くの女性達は使用が困難と思われる。
本考案は上記問題点を解決すると共に、使い捨て歯ブラシとしての意味合いを鑑み、少しでも環境に負荷を与えない方法として紙、木、竹等の植物性素材、または生分解性プラスチックを材料に取り入れる。
【課題を解決するための手段】
【０００５】
棒状の柄部の一端にブラシ部の付いた歯ブラシに於いて、その柄部は材料に植物性素材または生分解性プラスチックを用い、ブラシ部は柄部への接着面を有する取付け部と共に合成樹脂にて形成する。廃棄の際分別が必要であれば、双方を剥がして分別ゴミとして廃棄できるといった特徴を持ち、更にブラシ部には予め歯磨き剤が塗布された使い捨て歯ブラシである。
【考案の効果】
【０００６】
本歯ブラシは、柄部の材料に紙、木、竹等の植物性素材または生分解性プラスチックを用い、環境に優しい製品となっている。
【０００７】
柄部の製作に於いて既製品の紙軸または紙管等を使用すれば、柄部の製造に関わる製作用機器費、人件費等の削減となり、低コストに製造できる。
【０００８】
歯ブラシのブラシ部の製造方法としては、ナイロンの植毛方法が一般的であり、本考案もしかりであるが、本歯ブラシが使い捨てであることからブラシの耐久性、強靭性を殆ど必要としないため、型枠によるブラシ成形の方法をとることで低コスト化が図れる。
これらの事由により安価に提供しうる歯ブラシとなる。
【０００９】
環境負荷低減のために柄部に可燃物の材料を取り入れ、不燃物の減少化に配慮するとともに、廃棄の際に分別が必要であればブラシ部と柄部を剥がして分別ゴミとして出すことができる。
【００１０】
本歯ブラシは、外出時、会社の繁忙時、退社後のデート・飲み会、高齢者、病人等、日常の必要時もさることながら、緊急時、災害時等に於いても大いに役立つものと思われる。
以上のように本考案の使い捨て歯ブラシは社会生活に於いて大変効果を発揮する。
【図面の簡単な説明】
【００１１】
【図１】本考案の紙軸を使用した歯ブラシの斜視図である。
【図２】図１のＡ−Ａ′の断面の拡大図である。
【考案を実施するための形態】
【００１２】
棒状の柄部１の一端にブラシ部２の付いた歯ブラシＨの寸法として、全長ｌ１を約７０ｍｍ〜１００ｍｍとし、柄部幅ｄを約４ｍｍ〜６ｍｍとする。ブラシ部２の縦幅ｌ２を約１３ｍｍ〜１８ｍｍ、横幅ｗを約７ｍｍ〜１２ｍｍ、ブラシ丈ｈを約５ｍｍ〜８ｍｍとする。（図１参照）
次に製作方法を列挙する。
【実施例１】
【００１３】
柄部１は材料に植物性素材の紙材を使用し、形状を円柱状の棒体または管体とするが、それを既製品の紙軸または紙管を用い、必要な寸法にカットして柄部とする。
【００１４】
ブラシ部２は、柄部１の形状に合わせた凹状の接着面を有する取付け部３とともに合成樹脂にて形成する。
【００１５】
柄部１の一端に取付け部３の接着面を接着固定する。
ブラシ部２に歯磨き剤を塗布する。
以上で歯ブラシは完成である。
【００１６】
使用の際は、歯ブラシを袋より取り出し、ブラシ部を濡らすだけで即歯が磨ける。後は歯ブラシを廃棄して終了である。
【実施例２】
【００１７】
また別の製造方法として、ブラシ部及び柄部を生分解性プラスチックまたは合成樹脂での一体化形成とし、ブラシ部に歯磨き剤を塗布した使い捨て歯ブラシ。
【符号の説明】
【００１８】
Ｈ      歯ブラシ
１      柄部
２      ブラシ部
３      取付け部
ｌ１    全長
ｄ      柄部幅
ｌ２    ブラシ縦幅
ｗ      ブラシ横幅
ｈ      ブラシ丈
【図１】
0003175154.tif 000003
【図２】
0003175154.tif 000004
【手続補正書】
【提出日】平成24年2月15日(2012.2.15)
【手続補正１】
【補正対象書類名】実用新案登録請求の範囲
【補正対象項目名】全文
【補正方法】変更
【補正の内容】
【実用新案登録請求の範囲】
【請求項１】
棒状の柄部の一端にブラシ部の付いた歯ブラシに於いて、その柄部は材料に紙、木、竹等の植物性素材、または生分解性プラスチックを用い、ブラシ部は柄部への接着面を有する取付け部とともに合成樹脂にて形成し、更にブラシ部に予め歯磨き剤が塗布された使い捨て歯ブラシ。
【請求項２】
棒状の柄部の一端にブラシ部の付いた歯ブラシに於いて、生分解性プラスチックまたは合成樹脂により、ブラシ部及び柄部を一体化形成し、ブラシ部に予め歯磨き剤が塗布された使い捨て歯ブラシ。